(57)【要約】【課題】灯明の明かりが火袋に設けられた透光口を通して直接見ることができる構造、または灯明の明かりが内火袋の透光口を通して直接外火袋に映る構造とすることにより、これまでにない極めて特徴的な外観及び風情を有する新規の提灯を提供する。【解決手段】提灯(A2)は、外火袋(5)の内部に内火袋(6)を収容して構成されており、外火袋(5)と内火袋(6)は、巻骨(53,63)と柔軟性を有する和紙(54,64)で形成されており、外火袋(5)の和紙(54)には個々の集合により花模様(550)を表す和紙(54)を貫通した透光口(55)が所要数設けられており、灯明(4)が収容可能な内火袋(6)の和紙(64)には個々の集合により花模様(650)を表す和紙(64)を貫通した透光口(65)が所要数設けられている。【選択図】図２
2009135041.tif 000002
【特許請求の範囲】
【請求項１】
灯明(4)が収容可能な火袋(1)に、個々が模様を表すか、または個々の集合により模様を表す火袋(1)を貫通した透光口(15)が所要数設けられている、提灯。
【請求項２】
外火袋(5)の内部に該外火袋(5)より小さい内火袋(6)を収容した提灯であって、
前記外火袋(5)と内火袋(6)は、巻骨(53,63)と該巻骨(53,63)に張設されている柔軟性を有する張り材(54,64)で形成されており、
灯明(4)が収容可能な前記内火袋(6)の張り材(64)に、個々が模様を表すか、または個々の集合により模様を表す透光口(65)が所要数貫通して設けられている、提灯。
【請求項３】
外火袋(5)の内部に該外火袋(5)より小さい内火袋(6)を収容した提灯であって、
外火袋(5)と内火袋(6)は、巻骨(53,63)と該巻骨(53,63)に張設されている柔軟性を有する張り材(54,64)で形成されており、
前記外火袋(5)の張り材(54)に、個々が模様を表すか、または個々の集合により模様を表す透光口(55)が所要数貫通して設けられており、
灯明(4)が収容可能な前記内火袋(6)の張り材(64)に、個々が模様を表すか、または個々の集合により模様を表す透光口(65)が所要数貫通して設けられている、提灯。
【請求項４】
内火袋(6)と外火袋(5)が相似形である、請求項２または３に記載の提灯。
【請求項５】
灯明(4)を備えており、該灯明(4)の光源として発光ダイオードを使用した、請求項１ないし４のいずれかに記載の提灯。
【発明の詳細な説明】
【技術分野】
【０００１】
本発明は、提灯に関するものである。更に詳しくは、光源である灯明の明かりが火袋に設けられた透光口を通して直接見ることができる構造、または灯明の明かりが内火袋の透光口を通して直接外火袋に映る構造とすることにより、これまでにない極めて特徴的な外観及び風情を有する新規の提灯に関する。
【背景技術】
【０００２】
主に照明器具として使用される提灯には多くの種類があり、それぞれ特徴的な外観（意匠）と、それにより醸し出される独特の風情を有しており、各種祭事や催し物、仏前の供物あるいは装飾、インテリア用として広く利用されている。
提灯は、一般には竹ひごを筒状にして巻骨をつくり、その周囲に透光性のある和紙等を張った火袋を有している。火袋には、例えば花等の各種模様が手描きや印刷によって表されており、火袋の内部に灯明が灯されて火袋が明るくなると、これらの模様が鮮明に浮き上がって美しい。
【０００３】
しかしながら、このような提灯も近年では市場のニーズの広がりに対応するために多様化が進んでいる。提灯に特徴を持たせる手段は実に様々であり、その一つとして、内部からの投光によって投光側に表してある模様を火袋に映し出したり、さらにはそれを回転させて動かしたりする回り提灯としたものがある（特許文献１参照）。
【０００４】
特許文献１に記載の回り提灯（公報の記載では二重回転提灯）は、外周部に模様が設けられている内筒と火袋の内面との距離（間隙）が遠く、模様は火袋の内面に相当に拡大されて映る。また、内筒は円筒形状で火袋の内面は曲面であるため、模様ごとに火袋の内面までの距離がそれぞれ異なっている。
【０００５】
【特許文献１】実開昭５８−７９９０６号公報
【発明の開示】
【発明が解決しようとする課題】
【０００６】
特許文献１に記載の回り提灯は、前記構造であるため、火袋の内面に回転しながら映る模様は火袋の場所によっては大きく歪んでしまうため、本来の模様の美しさを十分には表しきれていない。また、火袋の内部からの投光によって投光側に表してある模様を火袋に映し出す方式は古くからあるもので、新鮮味も乏しい。また、提灯を使用しないときは、火袋は畳むことができるが、内筒は畳むことができず、火袋から取り出して使用時と同じ立体的な形状のままで別々に収容し保管しなければならない。このため、収容に手間がかかるだけでなく、回り提灯全体をコンパクトに保管することは難しい。
【０００７】
（本発明の目的）
本発明の目的は、光源である灯明の明かりが火袋に設けられた模様を構成する透光口を通して直接見ることができる構造、または灯明の明かりが内火袋の透光口を通して直接外火袋に映る構造とすることにより、これまでにない極めて特徴的な外観及び風情を有する新規の提灯を提供することである。
また、本発明の他の目的は、前記目的に加え、提灯を使用しないときに、箱等に収容して保管するにあたり、手間を低減することができ、提灯全体をよりコンパクトにすることができる提灯を提供することである。
【課題を解決するための手段】
【０００８】
上記課題を解決するために本発明が講じた手段は次のとおりである。
本発明は、灯明(4)が収容可能な火袋(1)に、個々が模様を表すか、または個々の集合により模様を表す火袋(1)を貫通した透光口(15)が所要数設けられている、提灯である。
【０００９】
本発明は、外火袋(5)の内部に該外火袋(5)より小さい内火袋(6)を収容した提灯であって、
外火袋(5)の内部に該外火袋(5)より小さい内火袋(6)を収容した提灯であって、
前記外火袋(5)と内火袋(6)は、巻骨(53,63)と該巻骨(53,63)に張設されている柔軟性を有する張り材(54,64)で形成されており、
灯明(4)が収容可能な前記内火袋(6)の張り材(64)に、個々が模様を表すか、または個々の集合により模様を表す透光口(65)が所要数貫通して設けられている、提灯である。
【００１０】
本発明は、外火袋(5)の内部に該外火袋(5)より小さい内火袋(6)を収容した提灯であって、
外火袋(5)と内火袋(6)は、巻骨(53,63)と該巻骨(53,63)に張設されている柔軟性を有する張り材(54,64)で形成されており、
前記外火袋(5)の張り材(54)に、個々が模様を表すか、または個々の集合により模様を表す透光口(55)が所要数貫通して設けられており、
灯明(4)が収容可能な前記内火袋(6)の張り材(64)に、個々が模様を表すか、または個々の集合により模様を表す透光口(65)が所要数貫通して設けられている、提灯である。
【００１１】
本発明の提灯は、内火袋(6)と外火袋(5)を相似形とすることもできる。
【００１２】
本発明の提灯は、灯明(4)を備えており、灯明(4)の光源として、発光ダイオード(LED：Light Emitting Diode)を使用することもできる。
【００１３】
火袋の張り材としては、光が適度に透過するものであれば、例えば和紙等の紙、植物繊維と化学繊維を混合したり、または化学繊維のみでつくった合成紙、その他、絹等の布、不織布あるいは各種シートやフィルム等があげられる。なお、張り材は柔軟性を有するものがより好ましい。張り材に設けられる透光口が個々に単独で、または個々が集合して表される模様はどのような模様でもよく、特に限定するものではない。
【００１４】
対象となる提灯としては、例えば吊ったり手持ちにする高張型（長型）、丸型、卵型、切長型、小田原型、弓張型、あるいは脚を有する置き型等があげられるが、これらに限定されるものではない。また、提灯を構成する火袋は、使用時の膨らんだ形状から本質的に変形しないものでもよいし、例えば蛇腹状の伸縮可能な構造として変形させたり畳むことによってコンパクトにできるものでもよい。
【００１５】
（作用）
本発明に係る提灯の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１６】
提灯(A1)の火袋(1)に収容された灯明(4)を灯すと、灯明(4)の光は火袋(1)を内側から明るく照らし、その一部は火袋(1)に設けられている各透光口(15)を通って火袋(1)外部へ放射される。透光口(15)は貫通孔であるため、各透光口(15)を通って放射される光は火袋(1)を通して漏れる光より強く、周囲の明るさによっては放射される光線が外部から見える。また、各透光口(15)を通って放射される光を光が放射される方向側から見ると、周りよりも強い光がアクセントのように（アクセント的に）見える。
【００１７】
さらに、各透光口(15)は、個々が模様を表すか、または個々の集合により模様を表すように設けられているので、特に前記のように周りよりも強い光がアクセントのように見える場合は、それらが相まって極めて特徴的な外観を有することとなり、あわせて独特の風情を醸し出すことができる。
【００１８】
本発明の、外火袋(5)と、透光口(65)を有する内火袋(6)を備えている提灯によれば、内火袋(6)に収容された灯明(4)を灯すと、灯明(4)の光は内火袋(6)を内側から明るく照らし、内火袋(6)を通して漏れる光は外火袋(5)を照らす。このとき、内火袋(6)を照らしている光と外火袋(5)を照らしている光の光量（または光の強さ）は、内火袋(6)を透過していない光の分だけ外火袋(5)を照らしている光の方が少ない。これにより、外火袋(5)の中に、外火袋(5)よりやや明るい内火袋(6)が浮き上がるように見える。さらに内火袋(6)の各透光口(65)を通った強い光は、各透光口(65)がつくる模様(650)を外火袋(5)に明るく象って映し出すことができる。
【００１９】
また、外火袋(5)と内火袋(6)はいずれも張り材(4)として柔軟性を有する材料を使用している。このため外火袋(5)と内火袋(6)は伸縮が可能であり、使用しないときは内火袋(6)を外火袋(5)に収容したまま、双方の火袋(5,6)を畳むことができる。
【００２０】
本発明の、いずれも透光口を有する外火袋(5)と内火袋(6)を備えている提灯(A2)は、前記外火袋(5)と、透光口(65)を有する内火袋(6)を備えている提灯の作用に加えて、さらに前記火袋(1)に透光口(15)が設けられている提灯(A1)とほぼ同様の作用を有する。
【００２１】
さらに、外火袋(5)と内火袋(6)が相似形である提灯(A2)は、外火袋(5)内での内火袋(6)の位置を調節することにより、内火袋(6)の外面と外火袋(5)の内面との距離をほぼ均等に設定することができる。これにより、各透光口(65)でつくられた模様(650)が大きく歪んで外火袋(5)に映ることはない。なお、内火袋(6)の外面と外火袋(5)の内面との距離をより短くすれば、模様(650)（内火袋に表された他の模様があれば、その模様も含む）が異様に大きく拡大されて映ることもない。このように、外火袋(5)に映し出される各模様(650)は、内火袋(6)に設けられた各模様(650)本来の美しさを表現することができる。
【発明の効果】
【００２２】
本発明は次の効果を有する。
（ａ）灯明が収容可能な火袋に、個々が模様を表すか、または個々の集合により模様を表す火袋を貫通した透光口が所要数設けられている提灯によれば、各透光口を通って放射される光は火袋を通して漏れる光より強く、周囲の明るさによっては放射される光線が外部から見ることができ、各透光口を通って放射される光を光が放射される方向側から見ると周りよりも強い光がアクセントのように見える。さらに、各透光口は、単独または集合により模様を表すので、特に周りよりも強い光がアクセントのように見える場合は、それらが相まって極めて特徴的な外観を有することとなり、あわせて独特の風情を醸し出すことができる。
【００２３】
（ｂ）外火袋と、透光口を有する内火袋を備えている提灯によれば、灯明の光は内火袋を内側から明るく照らし、内火袋を通して漏れる光は外火袋を照らすが、内火袋を照らしている光と外火袋を照らしている光の光量は、内火袋を透過していない光の分だけ外火袋を照らしている光の方が少ない。これにより提灯は、外火袋の中に、外火袋よりやや明るい内火袋を浮き上がるように見ることができ、さらに内火袋の各透光口を通った強い光は、各透光口がつくる模様を外火袋に明るく象って映し出すことができるので、極めて特徴的な外観を有することとなり、あわせて独特の風情を醸し出すことができる。
また、外火袋と内火袋はいずれも張り材として柔軟性を有する材料を使用している。このため外火袋と内火袋は伸縮が可能であり、使用しないときは内火袋を外火袋に収容したまま、双方の火袋を畳んで保管することができるので、手間が低減できるとともに、よりコンパクトに保管できる。
【００２４】
（ｃ）外火袋と内火袋が相似形である提灯によれば、外火袋内での内火袋の位置を調節することにより、内火袋の外面と外火袋の内面との距離をほぼ均等に設定することができる。これにより、各透光口でつくられた模様が大きく歪んで外火袋に映ることはなく、また、内火袋の外面と外火袋の内面との距離をより短くすれば、各模様が異様に大きく拡大されて映ることもない。このように、外火袋に映し出される各模様は、内火袋に設けられた各模様本来の美しさを表現することができる。
【発明を実施するための最良の形態】
【００２５】
本発明を図面に示した実施例に基づき詳細に説明する。
【００２６】
〔実施の形態１〕
図１は本発明に係る提灯の第１実施形態を示す正面視説明図である。
【００２７】
提灯Ａ１は、御天丸といわれる卵型の吊り提灯である。提灯Ａ１は、火袋１を有し、火袋１の上部の開口部に上加輪１１が設けられ、下部の開口部には下加輪１２が設けられている。また、符号２は天秤で、３は房である。
【００２８】
火袋１は、竹ひごやワイヤで筒状に形成した巻骨１３の周囲に、例えば和紙１４を張った構造を有している。火袋１の所要箇所には、刃物で和紙１４を切り抜くか打ち抜くことによって、またはレーザー光線による切り抜きによって所要数の透光口１５が設けられている。なお、各透光口１５部分の巻骨１３はそのまま露出している。
【００２９】
透光口１５は、和紙１４を表裏方向へ貫通して設けられている。また、透光口１５は複数設けられたものの集合が一組となって花模様１５０を形成しており、この花模様１５０を表す組が複数設けられている。なお、透光口は個々が単一で花模様等の模様を表してもよい。
【００３０】
また、火袋１の内部には、灯明装置４が下加輪１２に取り付けて収容されている。灯明装置４は、光源として発光ダイオードを使用し、電池を電源としたコードレス仕様である。なお、灯明としては灯明装置４の他、光源が電球で商用電源を使用した灯明装置あるいはロウソクを使用することもできる。
【００３１】
（作用）
提灯Ａ１の火袋１に収容された灯明装置４の灯明を灯すと、灯明の光は火袋１を内側から明るく照らし、その一部は火袋１に設けられている各透光口１５を通って火袋１の外部へ放射される。また、灯明装置４の光源である発光ダイオードはそれ程強い光は発しないが、和紙１４を貫通している各透光口１５を通って放射される光は火袋１の和紙１４を通して漏れる光より強く、周囲の明るさによっては放射される光線が外部から見える。各透光口１５を通って放射される光を光が放射される方向側から見ると、周りよりも強い光がアクセントのように見える。
【００３２】
さらに、各透光口１５は、個々が模様を表すか、または個々の集合により花模様１５０を表すように設けられているので、特に前記のように周りよりも強い光がアクセントのように見える場合は、それらが相まって極めて特徴的な外観を有することとなり、あわせて独特の風情を醸し出すことができる。
【００３３】
〔実施の形態２〕
図２は本発明に係る提灯の第２実施形態を示し外火袋の一部を切欠して表した正面視説明図である。
なお、本実施の形態では、図２において前記提灯Ａ１と同等箇所に同一符号を付して示し、構造について重複する説明は基本的に省略する。
【００３４】
提灯Ａ２は、門提灯といわれる卵型の吊り提灯である。提灯Ａ２は、外火袋５と、外火袋５の内部に収容されている内火袋６を有し、外火袋５の上部の開口部に上加輪５１が設けられ、下部の開口部には下加輪５２が設けられている。
【００３５】
まず外火袋５は、竹ひごやワイヤで筒状に形成した巻骨５３の周囲に柔軟性のある和紙５４を張った構造を有している。外火袋５の所要箇所には、和紙５４を刃物によって切り抜くか打ち抜くことによって、またはレーザー光線による切り抜きによって所要数の透光口５５が設けられている。なお、各透光口５５部分の巻骨５３はそのまま露出している。
【００３６】
透光口５５は、和紙５４を表裏方向へ貫通して設けられている。また、透光口５５は複数設けられたものの集合が一組となって花模様５５０を形成しており、この花模様５５０を表す組が複数設けられている。そして、外火袋５の内部には、前記提灯Ａ１に備えてあるものと同じ灯明装置４が下加輪５２に取り付けて収容されている。
【００３７】
外火袋５の内部に収容されている内火袋６は、外火袋５とほぼ相似形であり、外火袋５より小さく形成されている。内火袋６は、上下の開口部のいずれにも加輪が設けられておらず、単に上下に開口部（図では見えないので符号は省略する）を有する構造である。
【００３８】
内火袋６は、巻骨６３に柔軟性のある和紙６４を張った構造を有している。内火袋６の所要箇所には、透光口６５が設けられている。透光口６５は、和紙６４を表裏方向へ貫通して設けられている。また、透光口６５は複数設けられたものの集合が一組となって花模様６５０を形成し、この花模様６５０を表す組が複数設けられている。
【００３９】
内火袋６は、下部の開口部から前記灯明装置４が入るようにして、吊下部材、例えば紐６６で上加輪５１から外火袋５内部に吊り下げられている。これにより、内火袋６の外面と外火袋５の内面の間には、ほぼ均等な間隔の隙間５０が形成されている。また、内火袋６の外面と外火袋５の内面との距離は比較的短く設定されている。内火袋６の下部に内火袋６を伸ばして本来の形状に維持するために錘や加輪を設けてもよい。
【００４０】
なお、本発明に係る外火袋５と内火袋６を備えた提灯の他のバリエーションとしては、例えば（ａ）内火袋６に透光口６５を設け、外火袋５には透光口５５を設けないもの、（ｂ）外火袋５に透光口５５を設け、内火袋６には透光口６５を設けないものがあげられる。
【００４１】
（作用）
提灯Ａ２において外火袋５に対する内火袋６の収容は、伸ばして膨らんだ状態の外火袋５の上加輪１１の開口部から、畳んだ状態の内火袋６を変形させながら挿入し、外火袋５の内部で伸ばして膨らませて行う。
提灯Ａ２によれば、内火袋６に収容された灯明装置４の灯明を灯すと、灯明の光は内火袋６を内側から明るく照らし、内火袋６の和紙６４を通して漏れる光は外火袋５を照らす。このとき、内火袋６を照らしている光と外火袋５を照らしている光の光量は、内火袋６を透過していない光の分だけ外火袋５を照らしている光の方が少ない。
【００４２】
これにより、外火袋５の中に、外火袋５よりやや明るい内火袋６が浮き上がるように見える。さらに内火袋６の各透光口６５を通った強い光は、各透光口６５がつくる花模様６５０を外火袋５に明るく象って映し出すことができる。
また、外火袋５及び透光口５５の作用については、前記提灯Ａ１の火袋１及び各透光口１５の作用とほぼ同じであるので説明を省略する。
【００４３】
さらに、外火袋５と内火袋６が相似形であるので、内火袋６の外面と外火袋５の内面との距離をほぼ均等になるように内火袋６を外火袋５内部に吊り下げているので、各透光口６５でつくられた花模様６５０が大きく歪んで外火袋５に映ることはない。また、内火袋６の外面と外火袋５の内面との距離が比較的短くなっているので、花模様６５０が異様に大きく拡大されて映ることもない。したがって、外火袋５に映し出される花模様６５０は、内火袋６に設けられた各花模様６５０本来の美しさを表現することができる。
【００４４】
また、外火袋５と内火袋６はいずれも張り材として柔軟性を有する和紙５４、６４を使用している。これにより、外火袋５と内火袋６は使用時上下方向に伸縮が可能であり、使用しないときは内火袋６を外火袋５に収容したまま、双方の火袋５、６を畳んで保管することができる。これにより、手間を低減できるとともに提灯全体をよりコンパクトに保管できる。
【００４５】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４６】
【図１】本発明に係る提灯の第１実施形態を示す正面視説明図。
【図２】本発明に係る提灯の第２実施形態を示し外火袋の一部を切欠して表した正面視説明図。
【符号の説明】
【００４７】
Ａ１  提灯
１  火袋
１１  上加輪
１２  下加輪
１３  巻骨
１４  和紙
１５  透光口
１５０  花模様
２  天秤
３  房
４  灯明装置
Ａ２  提灯
５  外火袋
５０  隙間
５１  上加輪
５２  下加輪
５３  巻骨
５４  和紙
５５  透光口
５５０  花模様
６  内火袋
６３  巻骨
６４  和紙
６５  透光口
６６  紐
６５０  花模様
【図１】
2009135041.tif 000003
【図２】
2009135041.tif 000004